(57)【要約】【課題】山等の傾斜面その他、重機を搬入することができない場所でも支障なく使用することができる運搬容易、かつ、安価な立木切断補助装置を提供する。【解決手段】下側部材１の上端には上側部材５を該下側部材１に対し上下方向に回動自在に連結し、該下側部材１には該下側部材１を立木７の基部７ａに固定するための下側固定手段９を備えさせ、該上側部材５には該上側部材５を立木７の上部７ｂに固定するための上側固定手段１１を備えさせたことを特徴とする立木切断補助装置。【選択図】図１
0003127740.tif 000002
【実用新案登録請求の範囲】
【請求項１】
下側部材の上端には上側部材を該下側部材に対し上下方向に回動自在に連結し、該下側部材には該下側部材を立木の基部に固定するための下側固定手段を備えさせ、該上側部材には該上側部材を立木の上部に固定するための上側固定手段を備えさせたことを特徴とする立木切断補助装置。
【請求項２】
下側固定アームの一端には該下側固定アームを立木の基部に固定するための下側固定手段を備えさせ、該下側固定アームの他端には上側回動アームを上下方向に回動自在に取り付け、該上側回動アームの一端には該上側回動アームを立木の上部に固定するための上側固定手段を備えさせ、該上側回動アームの他端には該上側回動アームを上下方向に回動させるための駆動手段を連結させたことを特徴とする立木切断補助装置。
【請求項３】
前記固定手段は立木を略水平方向に貫くボルトを備えていることを特徴とする請求項１又は２に記載の立木切断補助装置。
【考案の詳細な説明】
【技術分野】
【０００１】
本考案は、立木切断補助装置に関するものであり、更に詳しくは、立木を切断する際に、立木の基部から切り離された立木の上部を所定の方向に安全に地上に倒し、又は地上まで安全に下ろすことができるようにした立木切断補助装置に係るものである。
【背景技術】
【０００２】
立木を切断する際には、立木の基部から切り離された立木の上部を所定の方向に正確に倒すことが安全性等の見地から要求されるのであるが、立木の基部から切り離された立木の上部を確実に制御し、これを所定の方向に正確に倒すことは必ずしも容易なことではない。
【０００３】
このような問題を解決するために、特開平８−２２８６１５号公報は、下部走行体上に上部旋回体を設け、該上部旋回体にアタッチメントを備えさせた立木等切断作業機を開示している。
【０００４】
この立木等切断作業機は、アタッチメントの先端部にグラップルを連結し、下部走行体の前方部に切断装置を備えさせてなるものである。
【０００５】
即ち、上記立木等切断作業機においては、アタッチメント先端部のグラップルにより立木の上部を把持させた状態で下部走行体前方部の切断装置により立木の基部を切断させ、該立木の上部を上部旋回体とアタッチメントとの作動により所定の地上位置に置くようにしている。
【特許文献１】特開平８−２２８６１５号公報
【考案の開示】
【考案が解決しようとする課題】
【０００６】
しかるに上記従来の木等切断作業機においては次のような問題がある。
【０００７】
（イ）上記従来の立木等切断作業機は、下部走行体上に上部旋回体を設け、該上部旋回体にアタッチメントを備えさせた重機であるため、極めて高価である。
【０００８】
（ロ）上記従来の立木等切断作業機は、下部走行体上に上部旋回体を設け、該上部旋回体にアタッチメントを備えさせた重機であるため、山等の傾斜面その他、重機を搬入することができない場所では使用することができない。
【０００９】
本考案は、上記従来の立木等切断作業機における上述の如き問題を解決しようとしてなされたものである。
【００１０】
即ち、本考案は、山等の傾斜面その他、重機を搬入することができない場所でも支障なく使用することができる運搬容易、かつ、安価な立木切断補助装置を提供しようとしてなされたものである。
【課題を解決するための手段】
【００１１】
上記課題を解決するために、本考案は下記の立木切断補助装置を提供するものである。
【００１２】
（１）下側部材の上端には上側部材を該下側部材に対し上下方向に回動自在に連結し、該下側部材には該下側部材を立木の基部に固定するための下側固定手段を備えさせ、該上側部材には該上側部材を立木の上部に固定するための上側固定手段を備えさせたことを特徴とする立木切断補助装置（請求項１）。
【００１３】
（２）下側固定アームの一端には該下側固定アームを立木の基部に固定するための下側固定手段を備えさせ、該下側固定アームの他端には上側回動アームを上下方向に回動自在に取り付け、該上側回動アームの一端には該上側回動アームを立木の上部に固定するための上側固定手段を備えさせ、該上側回動アームの他端には該上側回動アームを上下方向に回動させるための駆動手段を連結させたことを特徴とする立木切断補助装置（請求項２）。
【００１４】
（３）前記固定手段は立木を略水平方向に貫くボルトを備えている（請求項３）。
【００１５】
［考案の作用］
［請求項１の考案］
立木を切断する際には、まず、立木切断補助装置を立木を倒すべき方向に合わせて立木に固定する。即ち、下側部材を下側固定手段により立木の基部に固定すると共に上側部材を上側固定手段により立木の上部に固定する。
【００１６】
この状態で、上側部材の回動中心付近の高さにて立木を水平方向に切断した後、下側部材に対して上側部材を回動させることにより立木の上部を倒す。上側部材は下側部材に対して所定の方向にのみ回動するため、立木の上部は当該所定の方向に倒れる。図１参照。
【００１７】
竹又は細木の場合には、立木切断補助装置を立木に固定した後、下側固定手段と上側固定手段との間における上下二箇所の切断位置（４３）（４５）にて立木を水平方向に切断し、当該上下切断位置（４３）（４５）間の中間部分（７ｃ）を取り除き、上側固定手段を緩めて立木の上側残部（７ｂ’）を立木の基部（７ａ）上に下ろす。図６参照。この作業を繰り返すことにより、立木の上部（７ｂ）を複数の部分に切断した状態で除去する。
【００１８】
［請求項２の考案］
立木を切断する際には、まず、立木切断補助装置を立木を倒すべき方向に合わせて立木に固定する。即ち、下側固定アームを下側固定手段により立木の基部に固定すると共に上側回動アームを上側固定手段により立木の上部に固定する。
【００１９】
この状態で、上側回動アームの回動中心付近の高さにて立木を水平方向に切断した後、駆動手段により上側回動アームを回動させることにより立木の上部を倒す。
【００２０】
上側回動アームは下側固定アームに対して所定の方向にのみ回動するため、立木の上部は当該所定の方向に倒れる。図５参照。
【００２１】
［請求項３の考案］
立木に略水平方向の透孔を形成し、該透孔にボルトを挿通させることにより立木切断補助装置を立木に固定する。
【考案の効果】
【００２２】
［請求項１の考案］
請求項１の立木切断補助装置によれば、立木の基部から切り離された立木の上部を所定の方向に安全に地上に倒し、又は地上まで安全に下ろすことができる。この立木切断補助装置は、運搬容易であって、山等の傾斜面その他、重機を搬入することができない場所でも支障なく使用することができる。また、この立木切断補助装置は、構造が簡単であって安価に製造することができる。
【００２３】
［請求項２の考案］
請求項２の立木切断補助装置によれば、駆動手段により上側回動アームを回動させることにより立木の上部を倒すようにしているため、大きな立木の場合でも、立木の基部から切り離された立木の上部を所定の方向に安全に地上に倒すことができる。この立木切断補助装置は、運搬容易であって、山等の傾斜面その他、重機を搬入することができない場所でも支障なく使用することができる。また、この立木切断補助装置は、構造が簡単であって安価に製造することができる。
【００２４】
［請求項３の考案］
請求項３の考案によれば、立木切断補助装置は、立木を略水平方向に貫くボルトにより立木に確実に固定される。
【考案を実施するための最良の形態】
【００２５】
図１に示す事例について説明する。
【００２６】
符号１に示すものは立木切断補助装置の下側部材である。下側部材１の上端には、一例として回動軸３を介して、上側部材５を該下側部材１に対し上下方向に回動自在に連結する。
【００２７】
下側部材１には該下側部材１を立木７の基部７ａに固定するための下側固定手段９を備えさせる。
【００２８】
上側部材５には該上側部材５を立木７の上部７ｂに固定するための上側固定手段１１を備えさせる。
【００２９】
図１における符号１３は、立木７を水平方向に切断する切断位置を示す。
【００３０】
図２は、下側固定手段９又は上側固定手段１１の一例を示す。
【００３１】
図２に示す事例における下側固定手段９又は上側固定手段１１は、下側部材１又は上側部材５に保持体１２を固着し、該保持体１２に凹部１５を備えさせ、該凹部１５にチェーン、ベルト、ワイヤ、レバー等の締付手段１７を開閉自在、かつ、緊緩自在に設けてなる。
【００３２】
図２に示す事例においては、保持体１２の凹部１５に備えさせた締付手段１７を開き、該凹部１５を立木７の基部７ａ又は上部７ｂに当接させた状態で締付手段１７を締め付けることにより、下側部材１又は上側部材５を立木７の基部７ａ又は上部７ｂに固定する。
【００３３】
図３、図４は、下側固定手段９又は上側固定手段１１の別の一例を示す。
【００３４】
図３、図４に示す事例における下側固定手段９又は上側固定手段１１は、下側部材１又は上側部材５に保持体１９を固着し、該保持体１９に略コ字状部２１を備えさせ、該コ字状部２１における相対向する保持脚２１ａ、２１ｂに立木７を略水平方向に貫くボルト２３を螺挿してなるものである。符号２５に示すものはナットである。
【００３５】
図３、図４に示す事例においては、保持体１９に略コ字状部２１に合わせて立木７に切欠部２７ａ、２７ｂを形成すると共にボルト２３を挿通させる挿通孔２９を形成している。
【００３６】
次に、図５に示す事例について説明する。
【００３７】
符号３１に示すものは立木切断補助装置における下側固定アームである。下側固定アーム３１の一端には該下側固定アーム３１を立木７の基部７ａに固定するための下側固定手段３３を備えさせる。
【００３８】
下側固定アーム３１の他端には回動軸３５を介して上側回動アーム３７を上下方向に回動自在に取り付ける。
【００３９】
上側回動アーム３７の一端には該上側回動アーム３７を立木７の上部７ｂに固定するための上側固定手段３９を備えさせる。
【００４０】
下側固定手段３３と上側固定手段３９とは、好ましくは、それぞれ図３、図４に示す下側固定手段９、上側固定手段１１と同様のものとする。
【００４１】
上側回動アーム３７の他端には該上側回動アーム３７を上下方向に回動させるための駆動手段４１を連結させる。
【００４２】
駆動手段４１としては、例えば油圧シリンダ等のシリンダを用いる。なお、符号４２に示すものは立木７を略水平方向に切断する切断位置である。
【００４３】
図６は、図１に示す立木切断補助装置と同様の装置の使用状態の一例を示す。即ち、主として竹又は細木の場合において、立木切断補助装置を立木７に固定した後、下側固定手段９と上側固定手段１１との間における上下二箇所の切断位置４３、４５にて立木７を水平方向に切断し、当該上下二箇所の切断位置４３、４５間の中間部分７ｃを取り除き、上側固定手段１１を緩めて立木７の上側残部７ｂ’を立木７の基部７ａ上に下ろす。この作業を繰り返すことにより、立木７の上部７ｂを複数の部分に切断した状態で除去する。
【図面の簡単な説明】
【００４４】
【図１】本考案による立木切断補助装置の一例を示す側面図である。
【図２】下側固定手段又は上側固定手段の一例を示す平面図である。
【図３】下側固定手段又は上側固定手段の別の一例を示す平面図である。
【図４】同上の断面図である。
【図５】本考案による立木切断補助装置の別の一例を示す側面図である。
【図６】図１に示す立木切断補助装置の使用状態の別の一例を示す側面図である。
【符号の説明】
【００４５】
１  下側部材
３  回動軸
５  上側部材
７  立木
７ａ  基部
７ｂ  上部
７ｂ’  上側残部
７ｃ  中間部分
９  下側固定手段
１１  上側固定手段
１２  保持体
１３  切断位置
１５  凹部
１７  締付手段
１９  保持体
２１  略コ字状部
２１ａ  保持脚
２１ｂ  保持脚
２３  ボルト
２５  ナット
２７ａ  切欠部
２７ｂ  切欠部
２９  挿通孔
３１  下側固定アーム
３３  下側固定手段
３５  回動軸
３７  上側回動アーム
３９  上側固定手段
４１  駆動手段
４２  切断位置
４３  切断位置
４５  切断位置
【図１】
0003127740.tif 000003
【図２】
0003127740.tif 000004
【図３】
0003127740.tif 000005
【図４】
0003127740.tif 000006
【図５】
0003127740.tif 000007
【図６】
0003127740.tif 000008
【手続補正書】
【提出日】平成18年10月6日(2006.10.6)
【手続補正１】
【補正対象書類名】実用新案登録請求の範囲
【補正対象項目名】請求項３
【補正方法】変更
【補正の内容】
【請求項３】
前記上側固定手段と下側固定手段は、立木を略水平方向に貫くボルトを備えていることを特徴とする請求項１又は２に記載の立木切断補助装置。